(57)【特許請求の範囲】
【請求項１】
曲名毎に演奏データと基準音程信号とが格納されるＲＡＭと、
このＲＡＭから前記演奏データが送られて伴奏音データを再生するＭＩＤＩ音源と、
歌い手の音声をアナログ信号の歌声データに変換するマイクと、
この歌声データを音程変換が容易なデータ形式の歌声デジタル信号に変換するＡ／Ｄコンバータと、
前記ＲＡＭから読み出された基準音程信号と前記Ａ／Ｄコンバータから出力される歌声デジタル信号とを比較して、前記歌声デジタル信号が前記基準音程信号から外れていると、当該歌声デジタル信号を音程について矯正するように変調する変調手段と、前記変調手段が出力する変調歌データを変調アナログ信号に変換するＤ／Ａコンバータと、
前記Ｄ／Ａコンバータから出力される変調アナログ信号を増幅する可変増幅器と、前記マイクが出力する前記歌声データを増幅する他方の可変増幅器と、
前記可変増幅器及び前記他方の可変増幅器の増幅率を互いに独立に制御するＣＰＵと、前記ＣＰＵに前記増幅率を指示する入力手段と、
前記可変増幅器からの変調アナログ信号と前記他方の可変増幅器からの生の歌声データアナログ信号とを混合する合成手段と、
前記ＭＩＤＩ音源からの伴奏音演奏信号に、前記合成手段から出力される混合信号を混合する音源ミキサと、
前記音源ミキサから出力される前記伴奏音演奏信号と前記混合信号とからなる伴奏歌声混合信号が入力されるスピーカとから構成され、
前記伴奏音演奏信号による伴奏音とともに、前記混合信号による生の歌声と矯正された変調歌声とを前記スピーカから鳴らし、前記入力手段により指示された前記ＣＰＵが前記可変増幅器の増幅率と他方の前記可変増幅器の増幅率とをそれぞれ変更して、前記歌声と前記変調歌声のうち一方を主に聞いたり、または両方を同時に聞いたり選択できることを特徴とする変調機能付きカラオケ装置。
【発明の詳細な説明】
【０００１】
【発明の属する技術分野】
この発明は、歌い手の音程を矯正する変調機能付きカラオケ装置に関する。
【０００２】
【従来の技術】
従来の、カラオケ装置では、演奏曲に含まれるメロディーの基準信号に合わせてユーザの歌い手が歌うようにしている。
【０００３】
【発明が解決しようとする課題】
従来のカラオケ装置では、単に強制的に音程の外れを矯正するので、聞く方の歌い手も同席者も、歌い手の音程のズレや外れがどの程度のものか、はっきり理解できないという問題があった。また、自分の好きの様に、音程の修正された声と一緒に歌うことができなかった。
【０００４】
この発明では、変調された音声と、元の音程のズレや外れた自声とを適宜任意の割合で合成し、歌い手の音程のズレや外れの程度が認識きるようにし、その箇所では気を付けて発声すべき箇所を知ることができるようにすることと、歌い手が自分の好きの様に、音程の修正された声と一緒に歌うこと、を可能にすることを目的にしている。
【０００５】
【課題を解決するための手段】
本発明は、曲名毎に演奏データと基準音程信号とが格納されるＲＡＭと、このＲＡＭから前記演奏データが送られて伴奏音データを再生するＭＩＤＩ音源と、歌い手の音声をアナログ信号の歌声データに変換するマイクと、この歌声データを音程変換が容易なデータ形式の歌声デジタル信号に変換するＡ／Ｄコンバータと、前記ＲＡＭから読み出された基準音程信号と前記Ａ／Ｄコンバータから出力される歌声デジタル信号とを比較して、前記歌声デジタル信号が前記基準音程信号から外れていると、当該歌声デジタル信号を音程について矯正するように変調する変調手段と、前記変調手段が出力する変調歌データを変調アナログ信号に変換するＤ／Ａコンバータと、前記Ｄ／Ａコンバータから出力される変調アナログ信号を増幅する可変増幅器と、前記マイクが出力する前記歌声データを増幅する他方の可変増幅器と、前記可変増幅器及び前記他方の可変増幅器の増幅率を互いに独立に制御するＣＰＵと、前記ＣＰＵに前記増幅率を指示する入力手段と、前記可変増幅器からの変調アナログ信号と前記他方の可変増幅器からの生の歌声データアナログ信号とを混合する合成手段と、前記ＭＩＤＩ音源からの伴奏音演奏信号に、前記合成手段から出力される混合信号を混合する音源ミキサと、前記音源ミキサから出力される前記伴奏音演奏信号と前記混合信号とからなる伴奏歌声混合信号が入力されるスピーカとから構成され、前記伴奏音演奏信号による伴奏音とともに、前記混合信号による生の歌声と矯正された変調歌声とを前記スピーカから鳴らし、前記入力手段により指示された前記ＣＰＵが前記可変増幅器の増幅率と他方の前記可変増幅器の増幅率とをそれぞれ変更して、前記歌声と前記変調歌声のうち一方を主に聞いたり、または両方を同時に聞いたり選択できることを特徴とする。
【０００６】
【発明の実施の形態】
実施の形態１．
以下この発明を図面に従って説明する。
まず、図１において、本発明のカラオケ装置について説明する。
カラオケ装置はカラオケ再生部１、分離回路４、アダプタ５、通信制御回路（Ｉ／Ｆ）１１、バス１２、ＣＰＵ１３、ワークＲＡＭ１４、ＭＩＤＩ音源１５、音源ミキサ１７、スピーカ１８、マイク１９、ＨＤＤ（ハードディスクドライブ）等の記憶装置２０、画像再生用の歌詞の文字発生回路（ＶＤＰ）２２と、映像ミキサ２３、外付けのレーザーデス（ＬＤ）チェンジャー２４、表示装置のＣＲＴ２５、入出力装置（Ｉ／Ｏ）２６から構成されている。
【０００７】
通信制御回路１１を介しカラオケ再生部１は通信回線３に接続され、必要に応じて遠隔地のホスト２から曲データを受信できる。
入出力装置２６は図示しないリモコンからのリクエストを受信し、ＣＰＵ１３はリクエスト曲が記憶装置２０にあれば、そこからカラオケデータ例えばＭＩＤＩデータを読み出す。
ＭＩＤＩデータはワークＲＡＭ１４で解凍され、分離回路４を介しアダプタ５とＭＩＤＩ音源１５に送られる。
【０００８】
さて、カラオケ用の曲データ６は図２に示すように、ジャンルコード７および、ＭＩＤＩの演奏データ（信号）８と基準音程信号９から構成されている。
さて、分離回路４はＣＰＵ１６と、ＲＡＭ２１から構成され、ＣＰＵ１６はバス１２からは曲データ６を受け取り、演奏データ８と基準音程信号９とに分離する。
【０００９】
ＲＡＭ２１には演奏データ８と基準音程信号９とが一時的に格納され、ＭＩＤＩの演奏データ８はＲＡＭ２１からＭＩＤＩ音源１５に送られる。
ＭＩＤＩ音源１５では曲データに基づき伴奏音を再生し、これらはマイク１９からの歌声と音源ミキサ１７で混合され、スピーカ１８から音が出力される。
カラオケデータの歌詞データは文字発生回路（ＶＤＰ）２２で文字パターンを発生し、ジャンルコード７に従ってＣＰＵ１３は背景映像を選択し、ＬＤチェンジャー２４からの背景映像と映像ミキサ２３で混合されて、ＣＲＴ２５に表示される。
【００１０】
次に、アダプタ５はＡ／Ｄコンバータ３０、変調回路の変調手段３１、Ｄ／Ａコンバータ３２、可変増幅器３３、合成回路の合成手段３４、他方の可変増幅器３５、ＣＰＵ３６とから構成される。
マイク１９からの歌声のアナログ信号はＡ／Ｄコンバータ３０でデジタル信号に変換され、音程変換が容易なデータ形式になり変調手段３１に入力される。
変調手段３１には分離回路４のＲＡＭ２１から基準音程信号９が与えられており、歌声のデジタル信号と基準音程信号９とを比較する。
【００１１】
歌声のデジタル信号が基準音程信号９からズレたり外れていると、歌声のデジタル信号を音程について矯正するように変調した後にＤ／Ａコンバータ３２に出力する。
すなわちマイク１９からの歌声信号が、メロディの基準音程信号９からズレていると、音程を矯正して送り出す。
Ｄ／Ａコンバータ３２でアナログ信号に戻された歌声の変調アナログ信号は、可変増幅器３３で増幅され合成手段３４に送られる
【００１２】
一方マイク１９からの歌声のアナログ信号は可変増幅器３５で増幅され、合成手段３４に送られる。
合成手段３４では変調された歌声のアナログ信号と生の歌声のアナログ信号とが混合され、音源ミキサ１７に送られる。
音源ミキサ１７ではこれら歌声のアナログ信号とＭＩＤＩ音源１５からの演奏信号とが混合され、スピーカ１８に出力される。
可変増幅器３３の増幅率と、他方の可変増幅器３５の増幅率とはＣＰＵ３６により制御され、別に設けたキーにより指示できる。
これらの増幅率をいろいろ変更して設定すれば、自声を主に聞いたり、矯正した歌声または、１オクターブ上下の音を主に聞いたり、両方を同時に聞いたり選択できる。
【００１３】
次に、図３のフローチャートに 従って本発明の動作を詳しく説明する。ステップＳ１では、カラオケ再生部１の電源がオンされて、ＣＰＵ１３は給電テストを行い、次にステップＳ２では、アダプタ５の初期化を行う。ステップＳ３では、アダプタ５の変調手段３１は分離回路４のＲＡＭ２１からＭＩＤＩの基準音程信号９を受け取る。ステップＳ４ではマイク１９から歌声のアナログ信号が変調手段３１に入力される。ステップＳ５では、変調手段３１は歌声のアナログ信号を基準音程信号９と比較し、これらがズレていたら歌声のアナログ信号が基準音程信号９に近づくように音程を変調する。
【００１４】
ステップＳ６では、変調した歌声のアナログ信号とそのままの自声のアナアナログ信号との混合割合を適当に制御し、ステップＳ７では、合成手段３４で自声と変調した歌声のアナアナログ信号とを合成する、ステップＳ８では基準音程信号９が終了したか判断し、終了していなければ、ステップＳ４に戻り、ステップＳ４からステップＳ８を繰り返し、曲の終わりまで、歌い手の歌声の音程ズレを矯正したり、その他の変調作業を行う。
【００１５】
ステップＳ６で、変調した歌声のアナアナログ信号より自声のアナログ信号を大きくすることで、即ちズレて外れた音程の自声を大きく聞くことで、発声の不得手な箇所を正確によく認識できる。
不得手な箇所がわかれば、その箇所の発声に気を付けて歌うようになり、繰り返し練習することにより正しい発声が可能となる。
【００１６】
逆に、ステップＳ６で、変調した歌声のアナログ信号を自声のアナアナログ信号より大きくすることで、矯正した音程の歌声が主に聞こえるようになり、下手でも安心して人前で歌うことができる。初めての人も上手に歌っているようで、聴衆に不快感を抱かせないので安心感を与え、歌う趣味の場を盛り立てることができる。
【００１７】
自声と、変調された声のミックス具合を変えることで、歌うことの楽しみが増える。
【図面の簡単な説明】
【図１】この発明の実施の形態１のカラオケ装置の全体ブロック図である。
【図２】実施の形態１のカラオケ装置で処理される曲データの構成図である。
【図３】この発明の実施の形態１のカラオケ装置が変調をするフローチャートである。
【符号の説明】
１  カラオケ再生部、  ２  ホスト、  ３  通信回線、  ４  分離回路、
５  アダプタ、  ６  曲データ、  ７  ジャンルコード、  ８  演奏データ、
９  基準音程信号、  １１  通信制御回路、  １２  バス、
１３、１６、３６  ＣＰＵ、  １４、２１  ワークＲＡＭ、
１７  音源ミキサ、  １８  スピーカ、  １９  マイク、  ２０  記憶装置、
２２  文字発生回路（ＶＤＰ）、  ２３  映像ミキサ、
２４  レーザーデス（ＬＤ）チェンジャー、  ２５  表示装置、
２６  入出力装置、  ３０  Ａ／Ｄコンバータ、  ３１  変調手段、
３２  Ａ／Ｄコンバータ、  ３３、３５  可変増幅器、  ３４  合成手段。
【図１】
0004097163.tif 000002
【図２】
0004097163.tif 000003
【図３】
0004097163.tif 000004